(57)【要約】【課題】  フックのスライド性能を高めると共に、耐久性に優れ、使用者にとっても快適で安全の面も考慮した使用が可能なリード付散歩用ベルトを提供する。【解決手段】本ベルト１と移動ベルト２から形成する人間の腰部に装着して使用するベルトであって、移動ベルト２は、本ベルト１より幅の短いものである。その移動ベルト２に散歩用リード６を接続するためのフック３を通し、長手方向に移動可能なように形成する。加えて、本ベルト１には、本ベルト１の長さ調節可能なような調節可能スライド調整体７を設ける。本ベルト１の両端には、それぞれバックル５を備え、着脱装着可能なように形成している。また、携帯等の小物を収納するための小物ケース４を設ける。【選択図】図１
0003115143.tif 000002
【実用新案登録請求の範囲】
【請求項１】
人間の腰部に装着して使用するベルトであって、該ベルトは、本ベルトと移動ベルトからなり、移動ベルトは、本ベルトより細く形成され、その移動ベルトに散歩用リードを接続させるためのフックを通し、該フックを移動ベルトの長手方向に移動可能に連結したことを特徴とするフック付き散歩用ベルト。
【請求項２】
前記本ベルトは、移動ベルトよりも幅が広く形成され、本ベルトには、該本ベルトの長さを調節するスライド調整体が設けられている請求項１記載のフック付き散歩用ベルト。
【請求項３】
前記本ベルトに小物ケースが装着されている請求項１又は２記載のフック付き散歩用ベルト。
【請求項４】
前記本ベルトに、前記移動ベルトに通したフックを該移動ベルトの一端に固定する係止具を設けた請求項１乃至請求項３いずれか記載のフック付き散歩用ベルト。
【請求項５】
前記移動ベルトに通したフックには、フック側とリード側にそれぞれ磁石が備えられ、該磁石は、各々互いに引き付けあうよう設けられている請求項１乃至３いずれか記載のフック付き散歩用ベルト。
【考案の詳細な説明】
【技術分野】
【０００１】
本考案は、人間の腰部に装着して使用するベルトあって、リードをつなぐフックが移動可能なように、本ベルトより幅の短い移動ベルトを設けた散歩用ベルトに関する。
【背景技術】
【０００２】
従来の動物の散歩の際には、動物の首輪に対してリードをつなぎそれを人間が手でもって行っていた。
【０００３】
そのため、動物の散歩の際には、少なくとも人間の手が塞がれた状態となってしまう。また、雨の日に傘を差す場合や、携帯電話を使用する場合においては両手が塞がれてしまうこととなる。
【０００４】
また、散歩の最中の観点から見れば、人間自身が走りにくく、動物の走るスピードに合わせることができない等の難点を生じることもあった。
【０００５】
加えて、人間の片手だけで動物をコントロールしているため、動物の突発的な動き等については、動物の力をうまくコントロールできずに、手からリードを離してしまう虞もあった。
【０００６】
一方、特許文献１に記載のペットの散歩用ベルトは、人間の腰部に装着するベルトに、直に、動物の散歩用リードを接続するためのフックが通されているものが考案されている。
【特許文献１】実用新案登録第３０９６８３３号公報
【考案の開示】
【考案が解決しようとする課題】
【０００７】
しかし、特許文献１においては、動物の散歩用リードを接続のためのフックをベルトに直接接続するように構成しているため、例えば動物の突発的な動きの力に引っ張られ転倒する虞がある。しかも、ベルトそのものに負担がかかりフックとベルトが摩擦を起こしベルトそのものの破損にもつながる虞があるなど、耐久性に課題を残すものであった。
【０００８】
また、フックがそのベルトに沿って自由にスライド移動する場合はこのような突発的な動きの衝撃を緩和することができる。この場合、ベルトが細いほど摩擦が少なくなるのでフックのスライド移動がスムーズになる。ところが、このようにベルトを細くすると、衝撃を緩和することはできるが、使用者の腰に当てたベルトが腰に食い込むなど、使用者にとっての不都合が生じてしまう。
【０００９】
加えて、特許文献１のように、フックをベルトに直接装着してスライドさせるものでは、フックのスライドを妨げるようなものをベルトに装着することはできない。例えば携帯電話等の小物を収納するケース等をベルトに装着すると、スライドの妨げるになる。そのため、散歩時において小物を携帯する際に不便を生じる。
【００１０】
そこで、本考案は、上述の課題を解決すべく案出されたもので、ペットにつなぐリードをつなぐフックをスライド自在に連結するベルトにおいて、フックのスライド性能を高めると共に、耐久性に優れ、使用者にとっても快適な使用が可能なフック付き散歩用ベルトの提供を目的とするものである。
【課題を解決するための手段】
【００１１】
本考案の第１の手段は、人間の腰部に装着して使用するベルトであって、該ベルトは、本ベルトと移動ベルトからなり、移動ベルトは、本ベルトより細く形成され、その移動ベルトに散歩用リードを接続させるためのフックを通し、該フックを移動ベルトの長手方向に移動可能に連結したことにある。
【００１２】
本考案の第２の手段における前記本ベルトは、移動ベルトよりも幅が広く形成され、本ベルトには、該本ベルトの長さを調節するスライド調整体が設けられている。
【００１３】
本考案の第３の手段は、前記本ベルトに小物ケースを装着したことにある。
【００１４】
本考案の第４の手段は、前記本ベルトに、前記移動ベルトに通したフックを該スライドベルトの一端に固定する係止具を設けたことにある。
【００１５】
本考案の第５の手段は、前記移動ベルトに通したフックに、フック側とリード側にそれぞれ磁石を備え、該両磁石は、各々互いに磁着しあうように設けたことにある。
【考案の効果】
【００１６】
請求項１の構成により、動物の突発的な動きの力に対しても本ベルトがクッションの役割を果たし、体ごと引っ張られ転倒する虞を減少し、かつ、ベルトとフックが摩擦して破損する虞もない。
【００１７】
また、フックが移動可能であることによって、動物のあらゆる動きに対応可能であって、動物をコントロールすることにも事欠かない。
【００１８】
請求項２の構成により、本ベルトの幅が移動ベルトよりも広いので、本ベルトが使用者の腰に食い込む虞を解消した。この結果、フックのスライド性能を高めながら、使用者にとっても快適な使用ができるものである。また、本ベルトに設けたスライド調整体によって、人間のあらゆる体型にも適応できるように調節可能である。また、犬の大小や力を考慮した長さの調節も可能とすることに成功した。
【００１９】
請求項３の構成により、フックを移動ベルトにスライドさせながら、小物ケースを使用できるので、散歩をより快適にすることが可能になり、例えば携帯電話等の小物を携帯する際にも好適である。
【００２０】
請求項４の構成により、スライドベルトの一端にフックを固定する係止具を設けたことで、リードを人間の手で持って動物をコントロールしやすくした。これは、従来の手のみでリードを持ち散歩を行うのと比較して、力はそれほど必要ない。また、もちろん、たとえリードを手から解放してしまっても動物を逃がす心配もない。
【００２１】
請求項５の構成により、例えば、事故等に遭遇した際の安全面に配慮することに成功した。要するに、フック側及び散歩用リード側にそれぞれ磁石を設けたことで、外的の強力な作用によって、引っ張られた場合に、磁石が分離可能であることから、人間が事故に巻き込まれずに済むことに成功した。
【００２２】
このように本考案によると、ペットにつなぐリードをスライド自在に連結するベルトにおいて、フックのスライド性能を高めると共に、耐久性に優れ、安全面にも配慮し、使用者にとっても快適な使用が可能になるなどといった有益な種々の効果を奏するものである。
【考案を実施するための最良の形態】
【００２３】
本考案であるフック付き散歩用ベルトは、人間の腰部に装着して使用するベルトである。そのベルトは、本ベルト１と移動ベルト２からなり、移動ベルト２は、本ベルト１より細いものである。その移動ベルト２に散歩用リード６を接続させるフック３を通し、移動ベルト２の長手方向に移動可能なように形成される。また、あらゆる人間の体型に対応可能なように本ベルト１にスライド調整体７を設ける。加えて、例えば携帯のような小物を収納する小物ケース４が本ベルト１に形成されることで、当初の目的を達成する。
【実施例】
【００２４】
次に、図面に基づいて本考案の実施例を詳細に説明する。本考案散歩用ベルトは、人間の腰部に装着して使用する。該散歩用ベルトは、本ベルト１と移動ベルト２からなり、該移動ベルト２は、該本ベルト１より細く形成している。図示例では、本ベルト１の表面に重ねた移動ベルト２の両端を固定し、該移動ベルト２に散歩用リード６を接続させるためのフック４を通し、該移動ベルトの長手方向に移動可能なように設けている。
【００２５】
また、本ベルト１には、あらゆる人間の体型に臨機応変に合わせることが可能なように本ベルト１の長さが調節可能なようにスライド調整体７が設けられている。本ベルト1両端には、それぞれバックル５を装着し、着脱装着可能に設けている（図１参照）。図示の本ベルト１は、特に腰に当たる部分の幅を、移動ベルト２を装着する部分より広く形成している。
【００２６】
本ベルト１には、例えば携帯などの小物を収納可能な小物ケース４が装着される。この小物ケース４は、たとえば携帯電話やタバコ、財布など、散歩の際に必要な小物を収納するものである（図３参照）。
【００２７】
図４は、本ベルト１の他の実施例を示すもので、同図に示す符号９は、係止具である。この係止具９は、前記本ベルト１に設けられ、前記移動ベルト２に通したフック３を該移動ベルト２の一端に固定するものである。
【００２８】
また、本考案散歩用ベルトは、図５に示す固定リング８を装着することも可能である。該固定リング８は移動ベルト２に装着するもので、リード６を通してリード６の長さを調整した状態に維持できるようにしたものである（図５及び図６参照）。
【００２９】
加えて、本考案の散歩用ベルトは、図７に示すように磁石付フック９を装着することも可能である。これは、移動ベルト２に該磁石付フック９を通したものであって、フック側磁石１０と散歩用リード側磁石１１が、磁着するように設けたものである。（図７参照）。通常時は、両磁石は、強力な磁力によって磁着しており、例えば、人間が両磁石を引き離そうとしても分離する虞はない。また、例えば散歩中の動物の突発的な動きに対しても、分離する虞はほとんど生じない。しかし、例えば車との衝突事故や交通事故等に巻き込まれてしまった時や散歩中における崖等への転落等の緊急時において外的な力が過多になった時は、両磁石は分離するものであって、利用者の安全面を配慮した構造となっている。そして、前記フック側磁石１０や散歩用リード側磁石１１の磁力は、特定のものに限定することなく、犬の大きさや牽引力等によって変更可能ものである。
【００３０】
尚、図示例の各構成は、本考案の一実施例に過ぎず、各構成部材の形状、寸法等の設計変更、形態の変更など、本考案の要旨を変更しない範囲で自由に変更することができるものである。
【図面の簡単な説明】
【００３１】
【図１】本考案の一実施例を示す正面図である。
【図２】本考案の一使用状態を示した正面図である。
【図３】本考案フック付き散歩用ベルトを腰部に装着した状態を示した正面図である。
【図４】本考案の他の実施例を示し、本ベルトに固定リングを装着し、フックを固定した状態を示した正面図である。
【図５】本考案の他の実施例を示し、移動ベルトにフックを装着し、散歩用リードをつないだ状態を示した正面図である。
【図６】本考案の他の実施例を示し、移動ベルトの両端に固定リングを装着し散歩用リードの長さを調節している状態を示した正面図である。
【図７】本考案の他の実施例を示し、移動ベルトにフックを装着し、そのフックとリード側に磁石が装着されている状態を示した正面図である。
【符号の説明】
【００３２】
１  本ベルト
２  移動ベルト
３  フック
４  小物ケース
５  バックル
６  散歩用リード
７  スライド調整体
８  固定リング
９  係止具
10  磁石付フック
11  フック側磁石
12  リード側磁石
【図１】
0003115143.tif 000003
【図２】
0003115143.tif 000004
【図３】
0003115143.tif 000005
【図４】
0003115143.tif 000006
【図５】
0003115143.tif 000007
【図６】
0003115143.tif 000008
【図７】
0003115143.tif 000009